(57)【要約】【課題】熱変色性の筆跡を摩擦した際に、該筆跡の熱変色に加え、摩擦体表面の視覚的な面白みが増加する摩擦体、及び前記摩擦体を備えた熱変色性筆記具を提供する。【解決手段】本願発明の摩擦体４は、熱変色性インキを用いて紙面上に形成した熱変色性の筆跡を摩擦し、その際に生じる摩擦熱で前記熱変色性の筆跡を熱変色させる。摩擦体４が、弾性を有する合成樹脂よりなる第１の摩擦部４ａと、弾性を有する合成樹脂よりなる第２の摩擦部４ｂとからなる。第１の摩擦部４ａが第２の摩擦部４ｂの表面に設けられる。第１の摩擦部４ａの合成樹脂中に、可逆熱変色性顔料が分散状態で含有される。紙面上を摩擦した際に第１の摩擦部４ａと第２の摩擦部４ｂとが異なる色を呈する。【選択図】  図１
2009066780.tif 000002
【特許請求の範囲】
【請求項１】
熱変色性インキを用いて紙面上に形成した熱変色性の筆跡または像を摩擦し、その際に生じる摩擦熱で前記熱変色性の筆跡または像を熱変色させる摩擦体であって、
前記摩擦体が、弾性を有する合成樹脂からなり、前記合成樹脂中に、紙面上を摩擦した際に生じる摩擦熱で熱変色可能な可逆熱変色性顔料が分散状態で含有されてなることを特徴とする摩擦体。
【請求項２】
熱変色性インキを用いて紙面上に形成した熱変色性の筆跡または像を摩擦し、その際に生じる摩擦熱で前記熱変色性の筆跡または像を熱変色させる摩擦体であって、
前記摩擦体が、弾性を有する合成樹脂よりなる第１の摩擦部と、弾性を有する合成樹脂よりなる第２の摩擦部とからなり、前記第１の摩擦部を前記第２の摩擦部の表面に設け、
前記第１の摩擦部の合成樹脂中に、紙面上を摩擦した際に生じる摩擦熱で熱変色可能な可逆熱変色性顔料が分散状態で含有され、紙面上を摩擦した際に前記第１の摩擦部と前記第２の摩擦部とが異なる色を呈することを特徴とする摩擦体。
【請求項３】
熱変色性インキを用いて紙面上に形成した熱変色性の筆跡または像を摩擦し、その際に生じる摩擦熱で前記熱変色性の筆跡または像を熱変色させる摩擦体であって、
前記摩擦体が、弾性を有する合成樹脂よりなる第１の摩擦部と、弾性を有する合成樹脂よりなる第２の摩擦部とからなり、前記第１の摩擦部を前記第２の摩擦部の表面に設け、
前記第１の摩擦部の合成樹脂中に、紙面上を摩擦した際に生じる摩擦熱で熱変色可能な可逆熱変色性顔料が分散状態で含有され、
前記第２の摩擦部の合成樹脂中に、紙面上を摩擦した際に生じる摩擦熱で熱変色可能な可逆熱変色性顔料が分散状態で含有され、
紙面上を摩擦した際に前記第１の摩擦部と前記第２の摩擦部とが異なる色を呈することを特徴とする摩擦体。
【請求項４】
第１の摩擦部と第２の摩擦部とが２色成形により固着されてなる請求項２または３記載の摩擦体。
【請求項５】
内部に熱変色性インキを収容し、一端に前記熱変色性インキを吐出可能なペン先を備え、熱変色性インキの筆跡を摩擦しその際に生じる摩擦熱で該筆跡を熱変色可能な摩擦体を外面に備えた熱変色性筆記具であって、
前記摩擦体が、弾性を有する合成樹脂からなり、前記合成樹脂中に、紙面上を摩擦した際に生じる摩擦熱で熱変色可能な可逆熱変色性顔料が分散状態で含有されてなることを特徴とする熱変色性筆記具。
【請求項６】
内部に熱変色性インキを収容し、一端に前記熱変色性インキを吐出可能なペン先を備え、熱変色性インキの筆跡を摩擦しその際に生じる摩擦熱で該筆跡を熱変色可能な摩擦体を外面に備えた熱変色性筆記具であって、
前記摩擦体が、弾性を有する合成樹脂よりなる第１の摩擦部と、弾性を有する合成樹脂よりなる第２の摩擦部とからなり、前記第１の摩擦部を前記第２の摩擦部の表面に設け、
前記第１の摩擦部の合成樹脂中に、紙面上を摩擦した際に生じる摩擦熱で熱変色可能な可逆熱変色性顔料が分散状態で含有され、紙面上を摩擦した際に前記第１の摩擦部と前記第２の摩擦部とが異なる色を呈することを特徴とする熱変色性筆記具。
【請求項７】
内部に熱変色性インキを収容し、一端に前記熱変色性インキを吐出可能なペン先を備え、熱変色性インキの筆跡を摩擦しその際に生じる摩擦熱で該筆跡を熱変色可能な摩擦体を外面に備えた熱変色性筆記具であって、
前記摩擦体が、弾性を有する合成樹脂よりなる第１の摩擦部と、弾性を有する合成樹脂よりなる第２の摩擦部とからなり、前記第１の摩擦部を前記第２の摩擦部の表面に設け、
前記第１の摩擦部の合成樹脂中に、紙面上を摩擦した際に生じる摩擦熱で熱変色可能な可逆熱変色性顔料が分散状態で含有され、
前記第２の摩擦部の合成樹脂中に、紙面上を摩擦した際に生じる摩擦熱で熱変色可能な可逆熱変色性顔料が分散状態で含有され、
紙面上を摩擦した際に前記第１の摩擦部と前記第２の摩擦部とが異なる色を呈することを特徴とする熱変色性筆記具。
【請求項８】
第１の摩擦部と第２の摩擦部とが２色成形により固着されてなる請求項６または７記載の熱変色性筆記具。
【発明の詳細な説明】
【技術分野】
【０００１】
本発明は、摩擦体及び変色性筆記具に関する。詳細には、熱変色性インキの筆跡または像を摩擦しその際に生じる摩擦熱で前記熱変色性インキの筆跡または像を熱変色可能な摩擦体、及び前記摩擦体を備え且つ内部に熱変色性インキを収容した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴（本発明の軸筒）の後端に設ける構成が記載されている。
【０００３】
【特許文献１】特開２００４−１４８７４４号公報
【発明の開示】
【発明が解決しようとする課題】
【０００４】
前記従来の摩擦体は、筆跡を摩擦した際、筆跡を熱変色させることができるとしても、摩擦体表面の視覚的な面白さは得られない。
【０００５】
本発明は、前記従来の問題点を解決するものであって、熱変色性の筆跡または像を摩擦した際に、筆跡または像の熱変色に加え、摩擦体表面の視覚的な面白みが増加する摩擦体、及び前記摩擦体を備えた熱変色性筆記具を提供しようとするものである。
【課題を解決するための手段】
【０００６】
本願の第１の発明は、熱変色性インキを用いて紙面上に形成した熱変色性の筆跡または像を摩擦し、その際に生じる摩擦熱で前記熱変色性の筆跡または像を熱変色させる摩擦体４であって、前記摩擦体４が、弾性を有する合成樹脂からなり、前記合成樹脂中に、紙面上を摩擦した際に生じる摩擦熱で熱変色可能な可逆熱変色性顔料が分散状態で含有されてなること（請求項１）を要件とする。
【０００７】
前記第１の発明の摩擦体４は、摩擦体４を構成する弾性を有する合成樹脂中に、紙面上を摩擦した際に生じる摩擦熱で熱変色可能な可逆熱変色性顔料が分散状態で含有されてなることにより、紙面上の熱変色性の筆跡または像を摩擦した際、筆跡または像が熱変色するとともに、摩擦体４表面もその摩擦熱で熱変色する。それにより、筆跡または像を摩擦した際、筆跡または像の熱変色に加え、摩擦体４側の視覚的な面白みが増加する。
【０００８】
本願の第２の発明は、熱変色性インキを用いて紙面上に形成した熱変色性の筆跡または像を摩擦し、その際に生じる摩擦熱で前記熱変色性の筆跡または像を熱変色させる摩擦体４であって、前記摩擦体４が、弾性を有する合成樹脂よりなる第１の摩擦部４ａと、弾性を有する合成樹脂よりなる第２の摩擦部４ｂとからなり、前記第１の摩擦部４ａを前記第２の摩擦部４ｂの表面に設け、前記第１の摩擦部４ａの合成樹脂中に、紙面上を摩擦した際に生じる摩擦熱で熱変色可能な可逆熱変色性顔料が分散状態で含有され、紙面上を摩擦した際に前記第１の摩擦部４ａと前記第２の摩擦部４ｂとが異なる色を呈すること（請求項２）を要件とする。
【０００９】
前記第２の発明の摩擦体４は、第１の摩擦部４ａの合成樹脂中に、紙面上を摩擦した際に生じる摩擦熱で熱変色可能な可逆熱変色性顔料が分散状態で含有されてなることにより、紙面上の熱変色性の筆跡または像を摩擦した際、筆跡または像が熱変色するとともに、摩擦体４表面もその摩擦熱で熱変色する。それにより、筆跡または像を摩擦した際、筆跡または像の熱変色に加え、摩擦体４側の視覚的な面白みが増加する。また、前記第２の発明の摩擦体４は、紙面上を摩擦した際に前記第１の摩擦部４ａと前記第２の摩擦部４ｂとが異なる色を呈することにより、熱変色後の摩擦体４表面の色模様を容易に設定することができる。
【００１０】
本願の第３の発明は、熱変色性インキを用いて紙面上に形成した熱変色性の筆跡または像を摩擦し、その際に生じる摩擦熱で前記熱変色性の筆跡または像を熱変色させる摩擦体４であって、前記摩擦体４が、弾性を有する合成樹脂よりなる第１の摩擦部４ａと、弾性を有する合成樹脂よりなる第２の摩擦部４ｂとからなり、前記第１の摩擦部４ａを前記第２の摩擦部４ｂの表面に設け、前記第１の摩擦部４ａの合成樹脂中に、紙面上を摩擦した際に生じる摩擦熱で熱変色可能な可逆熱変色性顔料が分散状態で含有され、前記第２の摩擦部４ｂの合成樹脂中に、紙面上を摩擦した際に生じる摩擦熱で熱変色可能な可逆熱変色性顔料が分散状態で含有され、紙面上を摩擦した際に前記第１の摩擦部４ａと前記第２の摩擦部４ｂとが異なる色を呈すること（請求項３）を要件とする。
【００１１】
前記第３の発明の摩擦体４は、第１の摩擦部４ａの合成樹脂中及び第２の摩擦部４ｂの合成樹脂中に、紙面上を摩擦した際に生じる摩擦熱で熱変色可能な可逆熱変色性顔料が分散状態で含有されてなることにより、紙面上の熱変色性の筆跡または像を摩擦した際、筆跡または像が熱変色するとともに、摩擦体４表面もその摩擦熱で熱変色する。それにより、筆跡または像を摩擦した際、筆跡または像の熱変色に加え、摩擦体４側の視覚的な面白みが増加する。また、前記第３の発明の摩擦体４は、紙面上を摩擦した際に前記第１の摩擦部４ａと前記第２の摩擦部４ｂとが異なる色を呈することにより、熱変色後の摩擦体４表面の色模様を容易に設定することができる。
【００１２】
本願の第４の発明は、前記第２の発明または第３の発明の摩擦体４において、第１の摩擦部４ａと第２の摩擦部４ｂとが２色成形により固着されてなること（請求項４）を要件とする。
【００１３】
前記本願の第４の発明の摩擦体４は、第１の摩擦部４ａと第２の摩擦部４ｂとが確実且つ容易に固着される。
【００１４】
本願の第５の発明は、内部に熱変色性インキを収容し、一端に前記熱変色性インキを吐出可能なペン先２１を備え、熱変色性インキの筆跡を摩擦しその際に生じる摩擦熱で該筆跡を熱変色可能な摩擦体４を外面に備えた熱変色性筆記具であって、前記摩擦体４が、弾性を有する合成樹脂からなり、前記合成樹脂中に、紙面上を摩擦した際に生じる摩擦熱で熱変色可能な可逆熱変色性顔料が分散状態で含有されてなること（請求項５）を要件とする。
【００１５】
前記第５の発明の熱変色性筆記具１は、摩擦体４を構成する合成樹脂中に、紙面上を摩擦した際に生じる摩擦熱で熱変色可能な可逆熱変色性顔料が分散状態で含有されてなることにより、紙面上の熱変色性インキの筆跡を摩擦した際、該筆跡が熱変色するとともに、摩擦体４表面もその摩擦熱で熱変色する。それにより、筆跡を摩擦した際、該筆跡の熱変色に加え、摩擦体４側の視覚的な面白みが増加する。
【００１６】
本願の第６の発明は、内部に熱変色性インキを収容し、一端に前記熱変色性インキを吐出可能なペン先２１を備え、熱変色性インキの筆跡を摩擦しその際に生じる摩擦熱で該筆跡を熱変色可能な摩擦体４を外面に備えた熱変色性筆記具であって、前記摩擦体４が、弾性を有する合成樹脂よりなる第１の摩擦部４ａと、弾性を有する合成樹脂よりなる第２の摩擦部４ｂとからなり、前記第１の摩擦部４ａを前記第２の摩擦部４ｂの表面に設け、前記第１の摩擦部４ａの合成樹脂中に、紙面上を摩擦した際に生じる摩擦熱で熱変色可能な可逆熱変色性顔料が分散状態で含有され、紙面上を摩擦した際に前記第１の摩擦部４ａと前記第２の摩擦部４ｂとが異なる色を呈すること（請求項６）を要件とする。
【００１７】
前記第６の発明の熱変色性筆記具１は、摩擦体４を構成する第１の摩擦部４ａの合成樹脂中に、紙面上を摩擦した際に生じる摩擦熱で熱変色可能な可逆熱変色性顔料が分散状態で含有されてなることにより、紙面上の熱変色性インキの筆跡を摩擦した際、該筆跡が熱変色するとともに、摩擦体４表面もその摩擦熱で熱変色する。それにより、筆跡を摩擦した際、該筆跡の熱変色に加え、摩擦体４側の視覚的な面白みが増加する。また、前記第６の発明の熱変色性筆記具１は、紙面上を摩擦した際に第１の摩擦部４ａと第２の摩擦部４ｂとが異なる色を呈することにより、熱変色後の摩擦体４表面の色模様を容易に設定することがきる。
【００１８】
本願の第７の発明は、内部に熱変色性インキを収容し、一端に前記熱変色性インキを吐出可能なペン先２１を備え、熱変色性インキの筆跡を摩擦しその際に生じる摩擦熱で該筆跡を熱変色可能な摩擦体４を外面に備えた熱変色性筆記具であって、前記摩擦体４が、弾性を有する合成樹脂よりなる第１の摩擦部４ａと、弾性を有する合成樹脂よりなる第２の摩擦部４ｂとからなり、前記第１の摩擦部４ａを前記第２の摩擦部４ｂの表面に設け、前記第１の摩擦部４ａの合成樹脂中に、紙面上を摩擦した際に生じる摩擦熱で熱変色可能な可逆熱変色性顔料が分散状態で含有され、前記第２の摩擦部４ｂの合成樹脂中に、紙面上を摩擦した際に生じる摩擦熱で熱変色可能な可逆熱変色性顔料が分散状態で含有され、紙面上を摩擦した際に前記第１の摩擦部４ａと前記第２の摩擦部４ｂとが異なる色を呈すること（請求項７）を要件とする。
【００１９】
前記第７の発明の熱変色性筆記具１は、摩擦体４を構成する第１の摩擦部４ａの合成樹脂中及び第２の摩擦部４ｂの合成樹脂中に、紙面上を摩擦した際に生じる摩擦熱で熱変色可能な可逆熱変色性顔料が分散状態で含有されてなることにより、紙面上の熱変色性インキの筆跡を摩擦した際、該筆跡が熱変色するとともに、摩擦体４表面もその摩擦熱で熱変色する。また、前記第７の発明の熱変色性筆記具１は、紙面上を摩擦した際に第１の摩擦部４ａと第２の摩擦部４ｂとが異なる色を呈することにより、熱変色後の摩擦体４表面の色模様を容易に設定することができる。
【００２０】
本願の第８の発明は、前記第６の発明または第７の発明の熱変色性筆記具１において、第１の摩擦部４ａと第２の摩擦部４ｂとが２色成形により固着されてなること（請求項８）を要件とする。
【００２１】
前記本願の第８の発明の摩擦体４は、第１の摩擦部４ａと第２の摩擦部４ｂとが確実且つ容易に固着される。
【００２２】
・摩擦体
尚、本発明で、前記摩擦体を構成する弾性を有する合成樹脂（ゴム、エラストマー）は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体を構成する弾性を有する合成樹脂は、高摩耗性の弾性材料（例えば、消しゴム等）からなるものよりも、摩擦時に消しカスが生じない低摩耗性の弾性材料からなることが好ましい。本発明で、前記摩擦体は、熱変色性筆記具の軸筒外面またはキャップ外面に設けられる。前記摩擦体の軸筒への取り付け手段、及び摩擦体のキャップへの取り付け手段は、例えば、圧入、嵌着、係着、螺着、接着、または２色成形による一体成形等の手段が挙げられる。
【００２３】
・ペン先
尚、本発明で、前記ペン先は、例えば、ボールペンチップ、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００２４】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２５】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００２６】
本発明では、図６に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図６において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２７】
本発明では、前記熱変色性インキの摩擦体の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体による摩擦熱で容易に変色することができる。
【００２８】
前記可逆熱変色性顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００２９】
前記可逆熱変色性顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【００３０】
・可逆熱変色性顔料
尚、本発明において、摩擦体に含有される可逆熱変色性顔料は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
前記可逆熱変色性顔料の摩擦体の摩擦熱による変色温度は、２５℃〜９５℃（好ましくは３６℃〜９５℃）に設定される。
前記可逆熱変色性顔料は、摩擦体の合成樹脂中に０．５％〜３０％が含有されることが好ましい。
【発明の効果】
【００３１】
本発明の摩擦体は、筆跡または像を摩擦した際、筆跡または像の熱変色に加え、摩擦体表面の視覚的な面白みが増加する。
【００３２】
本発明の熱変色性筆記具は、摩擦体で筆跡を摩擦した際、筆跡の熱変色に加え、摩擦体表面の視覚的な面白みが増加する。
【発明を実施するための最良の形態】
【００３３】
＜第１の実施の形態＞
本発明の摩擦体４、及びその摩擦体４を備えた熱変色性筆記具１の第１の実施の形態を図１乃至図４に示す。
本実施の形態の熱変色性筆記具１は、軸筒２と、軸筒２のペン先２１側に装着可能なキャップ３とからなる。
【００３４】
・軸筒
軸筒２の前端には、ボールペンチップよりなるペン先２１が設けられ、軸筒２内には熱変色性インキが収容され、筆記時、前記ペン先２１より前記熱変色性インキが外部に吐出される。具体的には、軸筒２内には、ボールペンレフィルよりなる筆記体が交換可能に収容される。前記筆記体の内部には熱変色性インキが収容され、前記筆記体の前端にはボールペンチップ（ペン先２１）が取り付けられる。
【００３５】
・熱変色性インキ
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３６】
・キャップ
キャップ３内部には、弾性材料よりなるペン先シール部材３１が収容配置される。キャップ３を軸筒２のペン先２１側に装着した際、前記ペン先シール部材３１によりペン先２１（ボールペンチップの先端）が密封される。また、キャップ３の側壁外面には、クリップ３２が設けられる。
【００３７】
・摩擦体
軸筒２の後端部には、摩擦時に消しカスが生じない低摩耗性の弾性を有する合成樹脂（例えば、ＳＢＳ樹脂、ＳＥＢＳ樹脂）の成形体からなる摩擦体４が設けられる。前記摩擦体４は、軸筒２の後端部の取付孔２２に嵌入により取り付けられる。
【００３８】
前記摩擦体４は、前記取付孔２２に嵌入される筒状の嵌入部４２と、該嵌入部４２の後端に一体に連設され、軸筒２の後端より外部に突出する突出部４１とからなる。前記摩擦体４の頂部（突出部４１の後端部）は、凸曲面状に形成される。
【００３９】
前記摩擦体４は、可逆熱変色性顔料が分散状態で含有された第１の摩擦部４ａと、可逆熱変色性顔料が含有されない第２の摩擦部４ｂとからなる。前記第１の摩擦部４ａが前記第２の摩擦部４ｂの表面に設けられる。前記第１の摩擦部４ａと前記第２の摩擦部４ｂとは、２色成形により固着される。前記第１の摩擦部４ａの合成樹脂中に含有された可逆熱変色性顔料は、紙面上を摩擦した際に生じる摩擦熱で熱変色可能である。
【００４０】
本実施の形態の前記摩擦体４は、紙面上を摩擦する前は、第１の摩擦部４ａと第２の摩擦部４ｂとが同じ色を呈し［図４（ａ）参照］、紙面上を摩擦した後は、摩擦熱で第１の摩擦部４ａが熱変色し、第１の摩擦部４ａと第２の摩擦部４ｂとが異なる色を呈し、予め設定された第１の摩擦部４ａの形状に応じた色模様（具体的にはハート形状）が視認される［図４（ａ）参照］。
【００４１】
前記第１の摩擦部４ａは、摩擦体４の凸曲面状の頂部表面に形成される。それにより、摩擦による前記第１の摩擦部４ａの熱変色が確実に得られる。
【００４２】
＜第２の実施の形態＞
本発明の摩擦体４、及びその摩擦体４を備えた熱変色性筆記具１の第２の実施の形態を図１乃至図３、図５に示す。
本実施の形態の熱変色性筆記具１は、軸筒２と、軸筒２のペン先２１側に装着可能なキャップ３とからなる。
【００４３】
・軸筒
軸筒２の前端には、ボールペンチップよりなるペン先２１が設けられ、軸筒２内には熱変色性インキが収容され、筆記時、前記ペン先２１より前記熱変色性インキが外部に吐出される。具体的には、軸筒２内には、ボールペンレフィルよりなる筆記体が交換可能に収容される。前記筆記体の内部には熱変色性インキが収容され、前記筆記体の前端にはボールペンチップ（ペン先２１）が取り付けられる。
【００４４】
・熱変色性インキ
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００４５】
・キャップ
キャップ３内部には、弾性材料よりなるペン先シール部材３１が収容配置される。キャップ３を軸筒２のペン先２１側に装着した際、前記ペン先シール部材３１によりペン先２１（ボールペンチップの先端）が密封される。また、キャップ３の側壁外面には、クリップ３２が設けられる。
【００４６】
・摩擦体
軸筒２の後端部には、摩擦時に消しカスが生じない低摩耗性の弾性を有する合成樹脂（例えば、ＳＢＳ樹脂、ＳＥＢＳ樹脂）の成形体からなる摩擦体４が設けられる。前記摩擦体４は、軸筒２の後端部の取付孔２２に嵌入により取り付けられる。
【００４７】
前記摩擦体４は、前記取付孔２２に嵌入される筒状の嵌入部４２と、該嵌入部４２の後端に一体に連設され、軸筒２の後端より外部に突出する突出部４１とからなる。前記摩擦体４の頂部（突出部４１の後端部）は、凸曲面状に形成される。
【００４８】
前記摩擦体４は、可逆熱変色性顔料が分散状態で含有された第１の摩擦部４ａと、可逆熱変色性顔料が分散状態で含有された第２の摩擦部４ｂとからなる。前記第１の摩擦部４ａが前記第２の摩擦部４ｂの表面に設けられる。前記第１の摩擦部４ａと前記第２の摩擦部４ｂとは、２色成形により固着される。
【００４９】
前記第１の摩擦部４ａの合成樹脂中に含有された可逆熱変色性顔料は、紙面上を摩擦した際に生じる摩擦熱で熱変色可能である。前記第２の摩擦部４ｂの合成樹脂中に含有された可逆熱変色性顔料は、紙面上を摩擦した際に生じる摩擦熱で熱変色可能である。
【００５０】
本実施の形態の前記摩擦体４は、紙面上を摩擦する前は、第１の摩擦部４ａと第２の摩擦部４ｂとが異なる色を呈する［図５（ａ）参照］。紙面上を摩擦した後は、摩擦熱で第１の摩擦部４ａ及び第２の摩擦部４ｂが摩擦前の色と異なる色に熱変色し、しかも、第１の摩擦部４ａと第２の摩擦部４ｂとが異なる色を呈し、予め設定された第１の摩擦部４ａの形状に応じた色模様（具体的にはハート形状）が視認される［図５（ｂ）参照］。
【００５１】
前記第１の摩擦部４ａは、摩擦体４の凸曲面状の頂部表面に形成される。それにより、摩擦による前記第１の摩擦部の熱変色が確実に得られる。
【図面の簡単な説明】
【００５２】
【図１】本発明の第１の実施の形態、及び第２の実施の形態の縦断面図である。
【図２】図１の正面図である。
【図３】図１のキャップを外した状態を示す正面図である。
【図４】第１の実施の形態における摩擦体表面の拡大図であり、（ａ）が熱変色前を示し、（ｂ）が熱変色後を示す。
【図５】第２の実施の形態における摩擦体表面の拡大図であり、（ａ）が熱変色前を示し、（ｂ）が熱変色後を示す。
【図６】熱変色性インキの変色挙動を示す説明図である。
【符号の説明】
【００５３】
１  熱変色性筆記具
２  軸筒
２１  ペン先
２２  取付孔
３  キャップ
３１  ペン先シール部材
３２  クリップ
４  摩擦体
４１  突出部
４２  嵌入部
４ａ  第１の摩擦部
４ｂ  第２の摩擦部
【図１】
2009066780.tif 000003
【図２】
2009066780.tif 000004
【図３】
2009066780.tif 000005
【図４】
2009066780.tif 000006
【図５】
2009066780.tif 000007
【図６】
2009066780.tif 000008